(57)【特許請求の範囲】
【請求項１】
遊技機本体に閉鎖枠が取付手段によって取り付けられて前記遊技機本体が前記閉鎖枠に閉鎖される遊技機であって、
前記取付手段は、
前記遊技機本体及び閉鎖枠の何れか一方に設けられ、突出及び没入可能とされた取付軸と、
前記遊技機本体及び閉鎖枠の何れか他方に設けられ、前記取付軸が没入されて対向された状態から前記取付軸が突出されることで前記取付軸が挿入される取付孔と、
前記遊技機本体及び閉鎖枠の少なくとも一方に設けられ、前記遊技機本体と前記閉鎖枠とを係合させる係合手段と、
を有し、
かつ、前記取付軸に一体に設けられ、前記閉鎖枠の裏面または前記遊技機本体の前記閉鎖枠による閉鎖部位から露出する係止部と、
前記係止部が露出する前記閉鎖枠の裏面または前記遊技機本体の前記閉鎖部位に回動可能に設けられ、回動されて前記係止部を係止することで、前記取付軸の没入を阻止して、前記遊技機本体が前記閉鎖枠に閉鎖された際に前記取付軸が没入されることを阻止し、前記遊技機本体を前記閉鎖枠が開放しているときに前記係止部への係止を解除することができ、前記遊技機本体が前記閉鎖枠に閉鎖されたときに前記係止部への係止を解除することができない阻止部材と、
を備えたことを特徴とする遊技機。
【発明の詳細な説明】
【０００１】
【発明の属する技術分野】
本発明は、パチンコ機等の遊技機に関する。
【０００２】
【従来の技術】
パチンコ機は、例えば四角形筒状の外枠を備えており、外枠はパチンコ店の所謂島に固定されている。外枠の前面側には四角形板状の内枠が取り付けられており、内枠には遊技盤が固定されている。内枠の前面側には四角形板状のガラス枠が取り付けられており、ガラス枠にはガラス窓が固定されている。ガラス窓は遊技盤に対向しており、これにより、ガラス窓を介して遊技盤での遊技状況を視認可能とされている。
【０００３】
ところで、内枠の左端上部には上ヒンジ孔が設けられると共に、ガラス枠の左端上面には上方へ突出する上ヒンジ軸が設けられており、上ヒンジ軸が上ヒンジ孔に挿入されている。さらに、内枠の左端下部には上方へ突出する下ヒンジ軸が設けられると共に、ガラス枠の左端下面には下ヒンジ孔が設けられており、下ヒンジ軸が下ヒンジ孔に挿入されている。これにより、内枠に対しガラス枠が上ヒンジ軸及び下ヒンジ軸を中心として回動可能とされて、内枠に対しガラス枠が開閉可能とされている。
【０００４】
さらに、内枠の右端部及びガラス枠の右端部にはロック機構が設けられており、ロック機構によって内枠の右端部にガラス枠の右端部が係止されることで、内枠に対するガラス枠の回動が阻止される。
【０００５】
これにより、内枠がガラス枠に取り付けられて、内枠がガラス枠に閉鎖（被覆）されている。
【０００６】
ここで、上ヒンジ軸には上方への付勢力が付与されており、この付勢力に抗して上ヒンジ軸が下方へ押圧されることで、上ヒンジ軸がガラス枠上面に没入可能とされている。このため、下ヒンジ軸を下ヒンジ孔に挿入した後、上ヒンジ軸をガラス枠上面に没入させて上ヒンジ軸を上ヒンジ孔に対向させることで、上ヒンジ軸が付勢力によりガラス枠上面から突出されて上ヒンジ孔に挿入される。これにより、下ヒンジ軸を下ヒンジ孔に挿入すると同時に上ヒンジ軸を上ヒンジ孔に挿入できる構成である。
【０００７】
しかしながら、このようなパチンコ機では、内枠の上ヒンジ孔が形成された上ヒンジ板と外枠上端部との間に僅かな隙間があり、この隙間から薄板状のセルロイドや細い針金等の不正具を挿入可能である。このため、この隙間に挿入した不正具により上ヒンジ軸上面を下方へ押し下げて上ヒンジ軸を上ヒンジ孔から不正に外すことで、ロック機構によってガラス枠右端部が内枠右端部に係止されていても内枠左上部とガラス枠左上部との間に大きな隙間が生じ、この隙間からパチンコ機内の各種装置（例えば遊技盤上の役物装置）が不正に操作される可能性がある。
【０００８】
【発明が解決しようとする課題】
本発明は上記事実を考慮し、取付孔から取付軸が不正に外されることを防止できる遊技機を得ることが目的である。
【０００９】
【課題を解決するための手段】
請求項１に記載の遊技機は、遊技機本体に閉鎖枠が取付手段によって取り付けられて前記遊技機本体が前記閉鎖枠に閉鎖される遊技機であって、前記取付手段は、前記遊技機本体及び閉鎖枠の何れか一方に設けられ、突出及び没入可能とされた取付軸と、前記遊技機本体及び閉鎖枠の何れか他方に設けられ、前記取付軸が没入されて対向された状態から前記取付軸が突出されることで前記取付軸が挿入される取付孔と、前記遊技機本体及び閉鎖枠の少なくとも一方に設けられ、前記遊技機本体と前記閉鎖枠とを係合させる係合手段と、を有し、かつ、前記取付軸に一体に設けられ、前記閉鎖枠の裏面または前記遊技機本体の前記閉鎖枠による閉鎖部位から露出する係止部と、前記係止部が露出する前記閉鎖枠の裏面または前記遊技機本体の前記閉鎖部位に回動可能に設けられ、回動されて前記係止部を係止することで、前記取付軸の没入を阻止して、前記遊技機本体が前記閉鎖枠に閉鎖された際に前記取付軸が没入されることを阻止し、前記遊技機本体を前記閉鎖枠が開放しているときに前記係止部への係止を解除することができ、前記遊技機本体が前記閉鎖枠に閉鎖されたときに前記係止部への係止を解除することができない阻止部材と、を備えたことを特徴としている。
【００１０】
請求項１に記載の遊技機では、遊技機本体及び閉鎖枠の何れか一方に設けられた取付軸が没入されて遊技機本体及び閉鎖枠の何れか他方に設けられた取付孔に対向された状態で取付軸が突出されることで取付孔に取付軸が挿入される共に、遊技機本体及び閉鎖枠の少なくとも一方に設けられた係合手段によって遊技機本体と閉鎖枠とが係合される。これにより、閉鎖枠が遊技機本体に取り付けられて、遊技機本体が閉鎖枠に閉鎖される。
【００１１】
ここで、遊技機本体が閉鎖枠に閉鎖された際には、取付軸が没入されることが阻止部材によって阻止される。このため、不正具（例えば薄板状のセルロイドや細い針金等）により取付軸の突出先端を押圧して取付軸を没入させることができず、これにより、取付孔から取付軸が不正に外されることを防止できる。
【００１３】
さらに、取付軸に一体に設けられた係止部が閉鎖枠の裏面または遊技機本体の閉鎖枠による閉鎖部位から露出しており、阻止部材が係止部を係止することで取付軸の没入が阻止される。これにより、阻止部材が簡単な構成で取付軸の没入を阻止することができる。
【００１４】
しかも、阻止部材が閉鎖枠の裏面または遊技機本体の閉鎖枠による閉鎖部位に設けられているため、遊技機本体が閉鎖枠に閉鎖されると、阻止部材による取付軸の没入阻止状態を解除することができない。これにより、阻止部材が確実に取付軸の没入を阻止することができる。
【００１７】
【発明の実施の形態】
［第１の実施の形態］
図４には、本発明の遊技機が適用されて構成された第１の実施の形態に係るパチンコ機１０が展開された状態の斜視図にて示されている。
【００１８】
本実施の形態に係るパチンコ機１０は、遊技機本体を構成する略四角形筒状の外枠１２を備えており、外枠１２はパチンコ店の所謂島(図示省略)に固定されている。
【００１９】
外枠１２の前面側には、遊技機本体を構成する略四角形板状の内枠１４が配設されている。外枠１２の左端部及び内枠１４の左端部には内枠用ヒンジ機構（図示省略）が設けられており、この内枠用ヒンジ機構によって内枠１４が左端部を中心に外枠１２に対し回動可能とされて、外枠１２に対し内枠１４が開閉可能とされている。外枠１２の右端部及び内枠１４の右端部には内枠用ロック機構（図示省略）が設けられており、この内枠用ロック機構によって内枠１４の外枠１２に対する回動が阻止されている。これにより、外枠１２に内枠１４が取り付けられて、内枠１４が外枠１２の前面側全体を閉鎖している。また、内枠１４には、上位部から中位部に亘って遊技盤１６が固定されている。
【００２０】
内枠１４の前面側には、下位部において略四角形板状の皿枠１８が配設されている。内枠１４の左端部及び皿枠１８の左端部には皿枠用ヒンジ機構（図示省略）が設けられており、この皿枠用ヒンジ機構によって皿枠１８が左端部を中心に内枠１４に対し回動可能とされて、内枠１４に対し皿枠１８が開閉可能とされている。内枠１４の右端部及び皿枠１８の右端部には皿枠用ロック機構（図示省略）が設けられており、この皿枠用ロック機構によって皿枠１８の内枠１４に対する回動が阻止されている。これにより、内枠１４に皿枠１８が取り付けられて、皿枠１８が内枠１４前面側の下位部を閉鎖している。
【００２１】
皿枠１８には、受皿２０が設けられると共に、受皿２０下方の右部において発射ハンドル２２が設けられており、発射ハンドル２２が回転操作されることで、受皿２０に供給された遊技球（図示省略）が遊技盤１６上に発射される。なお、受皿２０には、パチンコ機１０から払い出された遊技球も供給される。
【００２２】
内枠１４の前面側には、上位部から中位部に亘って閉鎖枠としてのガラス枠２４が配設されている。ガラス枠２４の裏面左端部には、上端から下端に亘って略長板状の補強板２６が固定されている。
【００２３】
図３に示す如く、内枠１４の左端部及びガラス枠２４の左端部にはガラス枠用ヒンジ機構２８が設けられている。ガラス枠用ヒンジ機構２８は、係合手段を構成する下ヒンジ軸３０を有しており、下ヒンジ軸３０は内枠１４の左端下部に設けられて上方へ突出している。さらに、ガラス枠用ヒンジ機構２８は、係合手段を構成する下ヒンジ孔３２を有しており、下ヒンジ孔３２はガラス枠２４の左端下面（補強板２６下端の屈曲された部位）に設けられている。
【００２４】
ガラス枠用ヒンジ機構２８は、取付軸としての上ヒンジ軸３４を有しており、上ヒンジ軸３４はガラス枠２４の左端上部に設けられている。上ヒンジ軸３４に対応してガラス枠２４の左端上部（補強板２６上部）には、一対の支持板３６が設けられており、一対の支持板３６は上下方向において互いに対向している。各支持板３６には挿通孔３８が設けられており、各挿通孔３８には上ヒンジ軸３４が挿通されている。上ヒンジ軸３４は圧縮コイルスプリング４０内に挿通されており、圧縮コイルスプリング４０の下端は下側の支持板３６上面に当接している。上ヒンジ軸３４の上端部近傍には、リング部材４２（例えばＥリングまたはＣリング）が固定されており、リング部材４２には圧縮コイルスプリング４０の上端が当接して、リング部材４２が上方へ付勢されている。これにより、上ヒンジ軸３４が圧縮コイルスプリング４０によってリング部材４２を介して上方へ付勢されて、上ヒンジ軸３４の上端部が上側の支持板３６（ガラス枠２４の上面）から上方へ突出する共に、上側の支持板３６下面にリング部材４２が当接して、上ヒンジ軸３４の上端部のガラス枠２４上面からの突出量が制限されている（図２参照）。また、上ヒンジ軸３４が圧縮コイルスプリング４０の付勢力に抗して下方へ押圧されることで、上ヒンジ軸３４がガラス枠２４上面に没入可能とされいる。
【００２５】
ガラス枠用ヒンジ機構２８は、上ヒンジ板４４を有しており、上ヒンジ板４４は内枠１４の左端上部に設けられると共に、上ヒンジ板４４と外枠１２の上端部との間には僅かな隙間４６が存在している。また、上ヒンジ板４４には取付孔としての上ヒンジ孔４８が形成されている。ここで、下ヒンジ軸３０を下ヒンジ孔３２に挿入した（係合させた）後、上ヒンジ軸３４をガラス枠２４上面に没入させて上ヒンジ軸３４を上ヒンジ孔４８に対向させることで、上ヒンジ軸３４が圧縮コイルスプリング４０の付勢力によりガラス枠２４上面から突出されて上ヒンジ軸３４が上ヒンジ孔４８に挿入されている。これにより、内枠１４に対しガラス枠２４が上ヒンジ軸３４及び下ヒンジ軸３０を中心として回動可能とされて、内枠１４に対しガラス枠２４が開閉可能とされている。また、上ヒンジ軸３４が上ヒンジ孔４８に挿入された際には、上ヒンジ軸３４の上端（突出先端）が上ヒンジ板４４から上方へ突出している（図２参照）。
【００２６】
上ヒンジ軸３４の下端には、係止部としての係止軸５０が一体に設けられており、係止軸５０は上ヒンジ軸３４に対しガラス枠２４裏面側へ突出している。さらに、ガラス枠２４の左端上部（補強板２６上部）には、下側の支持板３６下方において露出孔５２が設けられており、露出孔５２内に係止軸５０が挿通されて、係止軸５０がガラス枠２４の裏面側から露出している。また、露出孔５２は、上ヒンジ軸３４のガラス枠２４上面に対する突出及び没入が係止軸５０の当接によって阻害されることがない程度の上下方向寸法とされている。
【００２７】
図１及び図２にも示す如く、ガラス枠２４の左端上部（補強板２６上部）には阻止部材としての阻止ピン５４が設けられている。阻止ピン５４は、上部が開放された略Ｕ字状とされており、阻止ピン５４の上部は、露出孔５２上方におけるガラス枠２４の左端上部に回動自在に支持されている。阻止ピン５４の下部は係止軸５０の直下に配置されており、阻止ピン５４の下部が係止軸５０の下降を係止することで、上ヒンジ軸３４のガラス枠２４上面への没入が阻止されている。
【００２８】
図４に示す如く、内枠１４の右端部及びガラス枠２４の右端部には、係合手段を構成するガラス枠用ロック機構５６が設けられている。ガラス枠用ロック機構５６は、平面視略Ｕ字板状のロック板５８を一対有しており、一対のロック板５８はガラス枠２４の右端部に設けられている。ガラス枠用ロック機構５６は、断面視Ｌ字板状の係止板６０を一対有しており、一対の係止板６０はガラス枠２４の右端部に設けられている。ここで、各ロック板５８内に各係止板６０が係止（係合）されることで、内枠１４にガラス枠２４が取り付けられて、ガラス枠２４に内枠１４前面側の上位部から中位部が閉鎖されている。
【００２９】
なお、ガラス枠２４を内枠１４から取り外す際には、各ロック板５８と各係止板６０との係止を解除すると共に、阻止ピン５４を回動させて阻止ピン５４下部の係止軸５０直下への配置を解除した後、係止軸５０を圧縮コイルスプリング４０の付勢力に抗して下方へ押圧して上ヒンジ軸３４をガラス枠２４上面に没入させることで上ヒンジ軸３４を上ヒンジ孔４８から取り外し、さらに、下ヒンジ軸３０を下ヒンジ孔３２から取り外す。
【００３０】
また、ガラス枠２４にはガラス窓６２が固定されると共に、ガラス窓６２は遊技盤１６に対向しており、ガラス窓６２を介して遊技盤１６上での遊技状況（遊技球の移動状況等）を視認可能とされた構成である。
【００３１】
次に、本実施の形態の作用を説明する。
【００３２】
以上の構成のパチンコ機１０では、内枠１４の下ヒンジ軸３０がガラス枠２４の下ヒンジ孔３２に挿入された後、ガラス枠２４の上ヒンジ軸３４がガラス枠２４上面に没入されて内枠１４の上ヒンジ孔４８に対向された状態から圧縮コイルスプリング４０の付勢力により上ヒンジ軸３４がガラス枠２４上面から突出されることで上ヒンジ孔４８に上ヒンジ軸３４が挿入される。さらに、内枠１４の各ロック板５８内にガラス枠２４の各係止板６０が係止される。これにより、内枠１４にガラス枠２４が取り付けられて、ガラス枠２４に内枠１４前面側の上位部から中位部が閉鎖される。
【００３３】
ここで、阻止ピン５４の下部が上ヒンジ軸３４と一体の係止軸５０の直下に配置されることで、係止軸５０の下降が係止されて、上ヒンジ軸３４のガラス枠２４上面への没入が阻止される。このため、ガラス枠２４に内枠１４前面側の上位部から中位部が閉鎖された際には、上ヒンジ板４４と外枠１２上端部との間の隙間４６から挿入された不正具（例えば薄板状のセルロイドや細い針金等）により上ヒンジ軸３４の上面を下方へ押圧しても、上ヒンジ軸３４をガラス枠２４上面に没入させることができず、これにより、上ヒンジ孔４８から上ヒンジ軸３４が不正に外されることを防止できる。
【００３４】
さらに、上ヒンジ軸３４と一体の係止軸５０が露出孔５２内に挿通されてガラス枠２４の裏面側から露出しており、阻止ピン５４が係止軸５０の下降を係止することで上ヒンジ軸３４のガラス枠２４上面への没入が阻止される。これにより、阻止ピン５４が簡単な構成で上ヒンジ軸３４のガラス枠２４上面への没入を阻止することができる。
【００３５】
しかも、阻止ピン５４がガラス枠２４の裏面側に設けられているため、内枠１４がガラス枠２４に閉鎖されると、阻止ピン５４による上ヒンジ軸３４の没入阻止状態を解除することができない。これにより、阻止ピン５４が確実に上ヒンジ軸３４のガラス枠２４上面への没入を阻止することができる。
【００３６】
また、阻止ピン５４を回動させるのみで上ヒンジ軸３４の没入阻止状態と没入阻止解除状態とを切り換えることができるため、上ヒンジ軸３４の没入阻止状態と没入阻止解除状態との切り換え操作を簡単に行うことができる。
【００３７】
なお、本実施の形態では、阻止ピン５４を略Ｕ字状とした構成としたが、阻止ピン（阻止部材）は、係止軸（係止部）の係止に適した形状であればよく、例えばＶ字状、Ｏ字状、Ｌ字状またはＪ字状等とされた構成としてもよい。
【００３８】
［第２の実施の形態］
図５には、本発明の遊技機が適用されて構成された第２の実施の形態に係るパチンコ機７０の主要部が正面図にて示されている。
【００３９】
本実施の形態に係るパチンコ機７０は、上記第１の実施の形態に係るパチンコ機１０とほぼ同様の構成であるが、以下の点で異なる。
【００４０】
すなわち、本実施の形態に係るパチンコ機７０では、第１の実施の形態の阻止ピン５４は設けられておらず、上ヒンジ板４４の上面（反上ヒンジ軸３４側）に阻止部材としての阻止蓋７２が一体に設けられている。阻止蓋７２は、円筒状の周部７４と上面を閉塞する閉塞部７６とを有しており、阻止蓋７２の内部は、上ヒンジ孔４８に連通されて上ヒンジ軸３４の上端（突出先端）が挿入されている。これにより、上ヒンジ軸３４上端の全体（上面及び全周囲）が、阻止蓋７２によって被覆された構成である。
【００４１】
ここで、阻止蓋７２が上ヒンジ軸３４の上端全体を被覆するため、ガラス枠２４に内枠１４前面側の上位部から中位部が閉鎖された際には、上ヒンジ板４４と外枠１２上端部との間の隙間４６から挿入された不正具（例えば薄板状のセルロイドや細い針金等）により上ヒンジ軸３４の上面を下方へ押圧することができない。これにより、上ヒンジ軸３４がガラス枠２４上面に没入されることを簡単な構成で確実に阻止でき、上ヒンジ孔４８から上ヒンジ軸３４が不正に外されることを防止できる。
【００４２】
［第３の実施の形態］
図６には、本発明の遊技機が適用されて構成された第３の実施の形態に係るパチンコ機８０の主要部が正面図にて示されている。
【００４３】
本実施の形態に係るパチンコ機８０は、上記第１の実施の形態に係るパチンコ機１０とほぼ同様の構成であるが、以下の点で異なる。
【００４４】
すなわち、本実施の形態に係るパチンコ機８０では、第１の実施の形態の阻止ピン５４は設けられておらず、上ヒンジ板４４の上面（反上ヒンジ軸３４側）に阻止部材としての阻止筒８２が一体に設けられている。阻止筒８２は円筒状とされており、阻止筒８２の内部は、上ヒンジ孔４８に連通されて上ヒンジ軸３４の上端（突出先端）が挿入されている。これにより、上ヒンジ軸３４上端の全周囲が、阻止筒８２によって被覆された構成である。
【００４５】
ここで、上ヒンジ軸３４の全周囲を阻止筒８２が被覆するため、ガラス枠２４に内枠１４前面側の上位部から中位部が閉鎖された際には、上ヒンジ板４４と外枠１２上端部との間の隙間４６から挿入された不正具（例えば薄板状のセルロイドや細い針金等）により上ヒンジ軸３４の上面を下方へ押圧することができない。これにより、上ヒンジ軸３４がガラス枠２４上面に没入されることを簡単な構成で確実に阻止でき、上ヒンジ孔４８から上ヒンジ軸３４が不正に外されることを防止できる。
【００４６】
なお、上記第１の実施の形態乃至第３の実施の形態では、上ヒンジ軸３４をガラス枠２４に設けると共に上ヒンジ孔４８を内枠１４に設けた構成としたが、上ヒンジ軸（取付軸）を内枠（遊技機本体）に設けると共に上ヒンジ孔（取付孔）をガラス枠（閉鎖枠）に設けた構成としてもよい。この場合でも、特に第１の実施の形態においては、例えば、上ヒンジ軸に一体に設けた係止部を内枠のガラス枠による閉鎖部位から露出させ、かつ、内枠のガラス枠による閉鎖部位に設けた阻止ピン（阻止部材）が係止部を係止することで取付軸の没入を阻止する構成とすることにより、阻止ピンが簡単な構成で確実に取付軸の没入を阻止することができる。
【００４７】
さらに、上記第１の実施の形態乃至第３の実施の形態では、本発明をガラス枠用ヒンジ機構２８の上ヒンジ軸３４及び上ヒンジ孔４８に適用した構成としたが、本発明をガラス枠用ヒンジ機構の下ヒンジ軸及び下ヒンジ孔に適用した構成としてもよく、さらに、本発明を内枠用ヒンジ機構や皿枠用ヒンジ機構に適用した構成としてもよい。
【００４８】
【発明の効果】
請求項１に記載の遊技機では、遊技機本体が閉鎖枠に閉鎖された際に取付軸が没入されることが阻止部材によって阻止されるため、取付孔から取付軸が不正に外されることを防止できる。
【００４９】
さらに、取付軸に一体に設けられた係止部が閉鎖枠の裏面または遊技機本体の閉鎖枠による閉鎖部位から露出しかつ阻止部材が係止部を係止することで取付軸の没入を阻止するため、阻止部材が簡単な構成で取付軸の没入を阻止することができる。
【００５０】
しかも、阻止部材が閉鎖枠の裏面または遊技機本体の閉鎖枠による閉鎖部位に設けられているため、阻止部材が確実に取付軸の没入を阻止することができる。
【図面の簡単な説明】
【図１】第１の実施の形態に係るパチンコ機において上ヒンジ軸の没入を阻止ピンが阻止する状況を示す斜視図である。
【図２】第１の実施の形態に係るパチンコ機において上ヒンジ軸の没入を阻止ピンが阻止する状況を示す正面図である。
【図３】第１の実施の形態に係るパチンコ機におけるガラス枠用ヒンジ機構を示す分解斜視図である。
【図４】第１の実施の形態に係るパチンコ機において内枠及びガラス枠が開放された状態を示す斜視図である。
【図５】第２の実施の形態に係るパチンコ機において阻止蓋による上ヒンジ軸の被覆状況を示す正面図である。
【図６】第３の実施の形態に係るパチンコ機において阻止筒による上ヒンジ軸の被覆状況を示す正面図である。
【符号の説明】
１０        パチンコ機（遊技機）
１２        外枠（遊技機本体）
１４        内枠（遊技機本体）
２４        ガラス枠（閉鎖枠）
３０        下ヒンジ軸（係合手段、取付手段）
３２        下ヒンジ孔（係合手段、取付手段）
３４        上ヒンジ軸（取付軸、取付手段）
４８        上ヒンジ孔（取付孔、取付手段）
５０        係止軸（係止部）
５４        阻止ピン（阻止部材）
５６        ガラス枠用ロック機構（係合手段、取付手段）
７０        パチンコ機（遊技機）
７２        阻止蓋（阻止部材）
８０        パチンコ機（遊技機）
８２        阻止筒（阻止部材）
【図１】
0004244277.tif 000002
【図２】
0004244277.tif 000003
【図３】
0004244277.tif 000004
【図４】
0004244277.tif 000005
【図５】
0004244277.tif 000006
【図６】
0004244277.tif 000007